(57)【特許請求の範囲】
【請求項１】
所定の間隔を空けてシャッタ地板に取り付けられており該シャッタ地板側とは反対の面に設けられた配線パターンの一部に少なくとも一つの固定接点部を有しているプリント配線板と、前記シャッタ地板と前記プリント配線板との間において前記シャッタ地板に回転可能に取り付けられており露光作動時には先羽根群を走行させる先羽根用駆動部材と、前記シャッタ地板と前記プリント配線板との間において前記シャッタ地板に回転可能に取り付けられており露光作動時には後羽根群を走行させる後羽根用駆動部材と、前記プリント配線板の前記シャッタ地板側に配置されていて一端を前記プリント配線板に取り付けられ自由端に前記配線パターンに圧接し得る可動接点部を有しており露光作動時において前記二つの駆動部材のうちいずれか一方の駆動部材によって撓まされたとき該可動接点部と前記固定接点部との接離関係を変えさせられる接点部材と、を備えていて、前記接点部材が撓まされたとき、前記可動接点部は、前記プリント配線板のパターン面を摺動し、前記固定接点部と前記可動接点部との接離関係によって前記一方の駆動部材の位置検出を行えるようにしたことを特徴とするカメラ用フォーカルプレンシャッタ。
【請求項２】
前記プリント配線板が少なくとも二つの固定接点部を有していて、撮影画枠の切り換えに対応して、それらの固定接点部のうちのいずれか一方を選択し、その固定接点部と前記可動接点部との接離関係によってのみ前記一方の駆動部材の位置検出を行えるようにしたことを特徴とする請求項１に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根によって形成されたスリットにより露光を行うようにしたカメラ用のフォーカルプレンシャッタのスイッチ機構に関する。
【０００２】
【従来の技術】
最近のカメラ用フォーカルプレンシャッタは、先羽根群と後羽根群の露光走行に先立って、予め先羽根用駆動部材と後羽根用駆動部材を、夫々、先羽根用電磁石と後羽根用電磁石に吸着保持させておき、その後、露光時間制御回路の出力信号によって、順次、各電磁石への通電を断ち、先羽根用駆動部材と後羽根用駆動部材を所定のタイミングで作動させることにより、先羽根群と後羽根群に露光走行を行わせるようにしている。そのため、シャッタには、上記の各電磁石が取り付けられているほかに、通常は、それらの電磁石などに通電するためのプリント配線板が取り付けられている。
【０００３】
他方、フラッシュ撮影を行う場合には、その発光のタイミングを羽根群の作動に連動させる必要があるため、シャッタには、羽根群の作動位置を検出するために、スイッチ機構が必要になる。そして、そのスイッチ機構を、上記したプリント配線板に取り付けるようにしたものが、実公平６−４３３９号公報や実開平２−３０９２９号公報などで知られている。また、フォーカルプレンシャッタの中には、画枠サイズを変えられるようにしたものが知られているが、その場合には、画枠サイズの変更に対応して、スイッチの作動のタイミングが自動的に変えられるようになっていなければならない。そのようにした例が、特開平７−１３２２０号公報に記載されている。
【０００４】
他方、シャッタに取り付けられるスイッチ機構には、上記した電磁石の吸着不良によって、羽根群が、露光時間制御回路の出力信号を待たずに走行してしまうのを検出したり、シャッタのセット不良を検出したりするものがある。そのようなスイッチ機構の一例が、特開平９−２４４１０１号公報で知られている。そして、このようなスイッチ機構は、フラッシュ撮影用のスイッチ機構と兼用させることもできるし、当然のことながら、プリント配線板に取り付けるようにすることも可能である。
【０００５】
【発明が解決しようとする課題】
ところで、上記の各公報に記載されたスイッチ機構は、いずれも、可撓性を有している少なくとも二つの接点部材を備えていて、それらの自由端に形成されている接点部同士を接離させるようにしている。ところが、それらの接点部材は、接触抵抗を下げるために、通常、金メッキを施していることから、シャッタの構成部品としては、その大きさの割に、比較的高価な部品となっている。また、この接点部材は可撓性を有する小さい部品であるから取り扱いが面倒であるほか、それを、かしめ加工や半田付けなどによって取り付けなければならないため、組立工数も比較的大きい。更に、可撓性を有する接点部材同士を接触させるようにすると、接触圧が接触開始から終了まで一定せず、チャタリングが生じ易いということもある。
【０００６】
本発明は，このような問題点を解決するためになされたものであり、その目的とするところは、部品コストや組立工数を削減することのできるスイッチ機構を備えたカメラ用フォーカルプレンシャッタを提供することである。
【０００７】
【課題を解決するための手段】
上記の目的を達成するために、本発明のカメラ用フォーカルプレンシャッタは、所定の間隔を空けてシャッタ地板に取り付けられており該シャッタ地板側とは反対の面に設けられた配線パターンの一部に少なくとも一つの固定接点部を有しているプリント配線板と、前記シャッタ地板と前記プリント配線板との間において前記シャッタ地板に回転可能に取り付けられており露光作動時には先羽根群を走行させる先羽根用駆動部材と、前記シャッタ地板と前記プリント配線板との間において前記シャッタ地板に回転可能に取り付けられており露光作動時には後羽根群を走行させる後羽根用駆動部材と、前記プリント配線板の前記シャッタ地板側に配置されていて一端を前記プリント配線板に取り付けられ自由端に前記配線パターンに圧接し得る可動接点部を有しており露光作動時において前記二つの駆動部材のうちいずれか一方の駆動部材によって撓まされたとき該可動接点部と前記固定接点部との接離関係を変えさせられる接点部材と、を備えていて、前記接点部材が撓まされたとき、前記可動接点部は、前記プリント配線板のパターン面を摺動し、前記固定接点部と前記可動接点部との接離関係によって前記一方の駆動部材の位置検出を行えるようにする。
また、本発明のカメラ用フォーカルプレンシャッタにおいては、前記プリント配線板が少なくとも二つの固定接点部を有していて、撮影画枠の切り換えに対応して、それらの固定接点部のうちのいずれか一方を選択し、その固定接点部と前記可動接点部との接離関係によってのみ前記一方の駆動部材の位置検出を行えるようにすることも可能である。
【０００８】
【発明の実施形態】
本発明の実施の形態を、二つの実施例によって説明する。図１〜図５は、第１実施例を示したものであって、図１は被写体側から視た露光作動の開始直前状態におけるシャッタユニットの平面図であり、図２は図１の要部拡大平面図である。図３は被写体側を上側にして示した図２の右側面図であり、図４は同様にして示した図２の左側面図である。また、図５は第１実施例の作動説明を行うための要部平面図である。そして、図６は、図２と同様にして示した露光作動の開始直前状態における第２実施例の平面図である。
【０００９】
［第１実施例］
先ず，本実施例の構成を、図１〜図４を用いて説明する。シャッタ地板１は、略中央部に開口部１ａを形成している。シャッタ地板１の表面側、即ち被写体側には軸１ｂ，１ｃ，１ｄが立設されていて、軸１ｂ，１ｃの先端には、ビス２，３によって、支持板４（図３，図４参照）とプリント配線板５とが重ねて取り付けられている。また、軸１ｄの先端は、支持板４とプリント配線板５に形成された孔に嵌合している。そして、支持板４には、周知のようにして図示していない先羽根用電磁石と後羽根用電磁石が取り付けられている。また、プリント配線板５には、四角い孔５ａと鍵穴状の孔５ｂとが形成されていて、表面側には配線パターンが形成され、必要な箇所以外はレジストでコーティングされている。そして、接点部５ｃは、銅箔の露出面に金メッキを施してある。
【００１０】
また、このプリント配線板５には、接点部材６が取り付けられている。図２〜図４から分かるように，この接点部材６は、折曲部６ａ，６ｂ，６ｃを有している。そして、プリント配線板５に対する取り付けは、折曲部６ｂを鍵穴状の孔５ｂを貫通させてから折曲部６ａをプリント配線板５の突部５ｄに当て、位置調整を行った後に、プリント配線板５の表面側で、その折曲部６ｂをランドに半田付けしている。また、折曲部６ｃは可撓性を有していて、その自由端には、更に折り曲げることによって接点部６ｄを形成している。そして、その接点部６ｄは、孔５ａを貫通して、プリント配線板５の表面側に配置され、自己の弾性によって、プリント配線板５の表面に圧接するようになっている。
【００１１】
図４に示すように、シャッタ地板１に立設された軸１ｂには、ラチェット車７と先羽根用駆動部材８が回転可能に取り付けられている。周知であるため、その取付け構成を具体的に示していないが、ラチェット車７と先羽根用駆動部材８は、軸１ｂに対して独自に回転できるようになっていて、ラチェット車７の周面に形成された歯部には、支持板４を折り曲げて形成した図示していない爪部が噛合するようになっている。
【００１２】
先羽根用駆動部材８は合成樹脂製であって、筒部８ａ，被押動部８ｂ，ばね掛け８ｃ，取付部８ｄ，押動部８ｅ（図３参照），駆動ピン８ｆを有している。このうち、筒部８ａは、上記の軸１ｂに回転可能に嵌合しており、被押動部８ｂは、セット時に後述するセット部材１９によって押される部位である。また、筒部８ａには、図示していない先羽根用駆動ばねが嵌装されていて、その駆動ばねは、一端をばね掛け８ｃに掛け、他端をラチェット車７のばね掛け部（周知であるため図示せず）に掛けていて、その付勢力の調整は、ラチェット車７を回転させて行うようになっている。そして、その駆動ばねは、図２において、先羽根用駆動部材８を反時計方向へ付勢している。
【００１３】
先羽根用駆動部材８の取付部８ｄは、図３に示すように、被写体側に隆起しており、その先端に押動部８ｅが設けられている。そして、この押動部８ｅは、上記した接点部材６の折曲部６ｃを押し得るようになっている。また、取付部８ｄの内部には、周知の鉄片部材９が取り付けられており、図３において、図示していない圧縮ばねにより左方向へ押され、鉄片部９ａを突き出している。そして、露光作動の開始直前には、この鉄片部９ａが図示していない先羽根用電磁石に吸着保持されることになる。更に、先羽根用駆動部材８の駆動ピン８ｆは、シャッタ地板１に形成された円弧状の長孔１ｅ（図２参照）を貫通しており、露光作動終了時には、長孔１ｅに取り付けられた平面形状がＣ字状をしている周知の緩衝部材１０に当接するようになっている。
【００１４】
図１におけるシャッタ地板１の背面側には、夫々、所定の間隔を空けて中間板１１と補助地板１２（図３，図４参照）が取り付けられており、シャッタ地板１と中間板１１との間には、先羽根群の羽根室が形成され、中間板１１と補助地板１２との間には後羽根群の羽根室が形成されている。また、中間板１１と補助地板１２にも、略中央部に、開口部１ａと類似の開口部が形成されていて、それらの三つの開口部を重ね合わせるようにして、長方形を横長にした露光開口が形成されるようになっている。
【００１５】
図１において、その一部が示されているように、本実施例における先羽根群は、二つのアーム１３，１４と、それらに枢支された４枚の羽根１５，１６，１７，１８によって構成されている。そして、アーム１３，１４の先端部に枢支されている羽根１８がスリット形成羽根である。また、アーム１３，１４の根元部は、シャッタ地板１に回転可能に取り付けられているが、そのうちアーム１３は、軸１ｂに回転可能に取り付けられている。即ち、図４に示すように、アーム１３には、スリーブ１３ａが、かしめ加工によって取り付けられている。他方、軸１ｂは、かしめ加工によってシャッタ地板１に取り付けられており、シャッタ地板１の表面側においては、上記したようにラチェット部材７と先羽根用駆動部材８を取付け、シャッタ地板１の背面側においては、スリーブ１３ａを回転可能に嵌合させている。
【００１６】
また、図示していないが、アーム１３には、スリーブ１３ａの位置よりも若干先端部側に、周知のようにして孔が形成されており、その孔に上記した先羽根用駆動部材８の駆動ピン８ｆが嵌合している。そのため、図２において、先羽根用駆動部材８が反時計方向へ回転されると，アーム１３は，駆動ピン８ｆによって反時計方向へ回転され、４枚の羽根１５，１６，１７，１８を重畳させつつ図１の上方へ作動させ、開口部１ａの上方位置に格納させるようになっている。また、その後、駆動ピン８ｆによって時計方向へ回転された場合には、羽根１５，１６，１７，１８を展開させつつ下方へ作動させ、図１の状態に復帰させて、開口部１ａを覆わせるようになっている。
【００１７】
尚、本実施例においては、図示していないが、後羽根系の構成については、周知の構成をそのまま採用している。即ち、シャッタ地板１の軸１ｃには、シャッタ地板１の表面側において、ラチェット車と後羽根用駆動部材とを回転可能に取り付け、それらの間には後羽根用駆動ばねが掛けられている。この後羽根用駆動部材にも、先羽根用駆動部材８と同様に、取付部には、後羽根用電磁石に吸着保持される鉄片部材が取り付けられているが、押動部８ｅに相当する部位は設けられていない。また、後羽根用駆動部材にも、セット部材によって押される被押動部と駆動ピンが設けられていて、その駆動ピンは、長孔１ｅと同じようにしてシャッタ地板１に形成された図示していない長孔を貫通して、シャッタ地板１の背面側に突き出ている。そして、その長孔にも、緩衝部材１０と同じような緩衝部材が取り付けられている。
【００１８】
更に、後羽根群も先羽根群と同様に、シャッタ地板１に回転可能に取り付けられている二つのアームと、それらに順に枢支された４枚の羽根で構成されており、上記の駆動ピンに嵌合する孔を形成している一方のアームは、軸１ｃに取り付けられている。そして、この後羽根群は、その一方のアームが、図１において駆動ピンによって反時計方向へ回転されると、４枚の羽根を展開させつつ上方へ作動させ、開口部１ａを覆うようになっている。また、その後、駆動ピンによって時計方向へ回転された場合には、４枚の羽根を重畳させつつ下方へ作動させ、開口部１ａの下方位置に格納されるようになっている。
【００１９】
図１に示すように，シャッタ地板１に立設された軸１ｄには、セット部材１９が回転可能に取り付けられている。このセット部材１９は、プリント配線板５に半分隠れていて全体形状が示されていないが、周知の形状をしていて、先羽根用駆動部材８の被押動部８ｂを押す押動部１９ａと、隠れたところには後羽根用駆動部材の被押動部を押すためのもう一つの押動部とが設けられている。また、このセット部材１９には、カメラ本体側の部材によって操作される被操作部１９ｂが設けられている。そして、このセット部材１９は、図示していないばねによって時計方向へ回転するように付勢されているが、図１においては、その回転を、図示していないストッパによって阻止されている。
【００２０】
次に、本実施例の作動を説明する。図１及び図２は，本実施例の露光作動の開始直前状態を示している。即ち、カメラのレリーズボタンが既に押された後であって、図示していない先羽根用電磁石と後羽根用電磁石に通電された状態を示している。従って、先羽根用電磁石は、先羽根用駆動部材８に取り付けられている鉄片部材９の鉄片部９ａを吸着保持し、同様にして後羽根用電磁石も、図示していない後羽根用駆動部材に取り付けられている鉄片部材の鉄片部を吸着保持している。そのため、セット部材１９は、図示していないカメラ本体側の部材に追従し、ストッパに停止される位置へ復帰しており、セット部材１９の押動部１９ａは、先羽根用駆動部材８の被押動部８ｂの作動軌跡外へ退き、図示していないもう一つの押動部も後羽根用駆動部材の被押動部の作動軌跡外へ退いている。
【００２１】
この状態において、先ず、先羽根用電磁石への通電が断たれると、先羽根用駆動部材８は、図示していない先羽根用駆動ばねの付勢力によって反時計方向へ回転される。そのため、先羽根群は、アーム１３が駆動ピン８ｆによって作動され、４枚の羽根１５，１６，１７，１８を重畳させつつ開口部１ａを開いていく。その後、スリット形成羽根１８のスリット形成縁が、開口部１ａの上辺位置に近付くと、先羽根用駆動部材８の押動部８ｅが接点部材６の折曲部６ｃを押して撓ませ、接点部６ｄをプリント配線板５のパターン面上で摺動させる。
【００２２】
そして、上記のスリット形成縁が開口部１ａの上辺位置（正しくは露光開口の上辺位置）にほぼ達したとき、接点部６ｄがプリント配線板５の接点部５ｃに接触する。そのときの状態が、図５（ａ）に示されている。従って、予めフラッシュ撮影を行うようにセットされている場合には、開口部１ａが全開になった時点でフラッシュが発光することになる。先羽根用駆動部材８は、その後も僅かに反時計方向への回転を続け，駆動ピン８ｆが緩衝部材１０に当接した段階で停止する。そのときの状態が、図５（ｂ）に示されている。
【００２３】
他方、図示していない後羽根用駆動部材の露光作動は、フラッシュ撮影を行うようにセットされている場合には、上記のようにしてフラッシュが発光した後に開始され、また、フラッシュ撮影を行わない場合には、先羽根用駆動部材８の露光作動が開始してから所定時間経過後に開始される。そして、その露光作動は周知のようにして行われる。即ち、後羽根用電磁石の通電を断つと、後羽根用駆動部材は、後羽根用駆動ばねの付勢力によって軸１ｃで反時計方向へ回転し、その駆動ピンによって、軸１ｃに取り付けられている後羽根群の一方のアームを反時計方向へ回転させる。その結果、開口部１ａの下方位置に重畳状態で格納されていた４枚の羽根は、展開されつつ上方へ作動して開口部１ａを覆い、駆動ピンが緩衝部材に当接することによって露光作動は終了する。
【００２４】
その後に行われるセット作動も周知のようにして行われる。即ち、フィルムの巻き上げに連動して、カメラ本体側の図示していない部材が、図１の状態にあるセット部材１９の被操作部１９ｂを押し、セット部材１９を反時計方向へ回転させる。それによって、先ず、セット部材１９の押動部１９ａが、図２において先羽根用駆動部材８の被押動部８ｂを押し、先羽根用駆動部材８を、図示していない先羽根用駆動ばねの付勢力に抗して時計方向へ回転させる。そのため、一方では、接点部材６の折曲部６ｃが、自己の弾性によって、先羽根用駆動部材８の押動部８ｅに追従し、他方では、先羽根群のアーム１３が、駆動ピン８ｆによって時計方向へ回転され、それまで開口部１ａの上方位置に重畳状態で格納されていた４枚の羽根１５，１６，１７，１８を、展開させながら下方へ作動させていく。
【００２５】
その後、先羽根群のスリット形成羽根１８と後羽根群のスリット形成羽根の重なりが所定量になった段階で、セット部材１９に設けられた図示していないもう一つの押動部が、後羽根用駆動部材の被押動部を押し、後羽根用駆動部材を後羽根用駆動ばねの付勢力に抗して時計方向へ回転させる。そのため、後羽根用駆動部材の駆動ピンが後羽根群の一方のアームを時計方向へ回転させ、４枚の羽根を重畳させつつ下方へ作動させていく。従って、その後は，先羽根群の４枚の羽根１５，１６，１７，１８と後羽根群の４枚の羽根とは、共に下方へ作動していくことになる。そして、この段階においては、接点部材６の折曲部６ｃは、自己の弾性による復帰作動を、プリント配線板５の孔５ａの縁によって停止され、図２に示す状態になっている。
【００２６】
このようにしてセット作動がすすみ、先羽根群の４枚の羽根１５，１６，１７，１８が開口部１ａを覆った段階になると、先羽根用駆動部材８に取り付けられている鉄片部材９の鉄片部９ａが先羽根用電磁石に当接し、以後、鉄片部９ａは、図示していない圧縮ばねを圧縮させながら取付部８ｄの内部に押し込まれていく。他方、後羽根群の方も、４枚の羽根が開口部１ａから下方へ退いた段階になると、図示していない後羽根用駆動部材に取り付けられている鉄片部材の鉄片部が後羽根用電磁石に当接し、上記した場合と同様に、後羽根用駆動部材の取付部内に押し込まれる。そして、セット部材１９の回転は、後羽根用駆動部材の鉄片部材が、取付部内に僅かに押し込まれた段階で停止し、図示していないカメラ本体側の部材によるセット作動が終了する。
【００２７】
ところで、図１〜図４に示した状態は、そのようなセット状態を示したものではない。即ち、次の撮影に際してカメラのレリーズボタンが押されると、先ず、図示していない先羽根用電磁石と後羽根用電磁石に通電が行われる。それによって、先羽根用駆動部材に取り付けられている鉄片部材９が先羽根用電磁石に吸着保持され、図示していない後羽根用駆動部材に取り付けられている鉄片部材も後羽根用電磁石に吸着保持される。そこで、次に、図示していないカメラ本体側の部材が、セット部材１９の被操作部１９ｂから退いていくため、セット部材１９は、それに追従し、図示していないばねの付勢力によって時計方向へ回転し、所定量回転した段階で図示していないストッパによって停止させられる。その状態が図１の状態である。
【００２８】
また、セット部材１９が、上記のようにして図１の状態に復帰するとき、押動部１９ａが先羽根用駆動部材８の被押動部８ｂから退いていくので、周知のように、先羽根用駆動部材８は、図示していない先羽根用駆動ばねの付勢力によって、鉄片部材９の鉄片部９ａが取付部８ｄ内に押し込まれている分だけ回転し、停止する。その状態が、先羽根用駆動部材８にとっての、即ち先羽根群にとっての露光作動開始位置である。同様にして、セット部材１９の図示していないもう一つの押動部も後羽根用駆動部材の被押動部から退いていくので、後羽根用駆動部材は、後羽根用駆動ばねの付勢力によって、鉄片部材の鉄片部が取付部内に押し込まれている分だけ回転し、停止する。このような状態が、本実施例の露光作動の開始直前状態であり、図１〜図４は、このような状態を示したものである。
【００２９】
尚、本実施例においては、接点部５ｃと接点部６ｄとの接離を行わせるスイッチ機構が、フラッシュ撮影のためのスイッチ機構である場合で説明したが、本発明はそれに限定されるものではない。先羽根用駆動部材８が妄動し、先羽根群が露光作動を開始する時機ではないのに作動してしまった場合の検出スイッチ機構とすることも可能である。即ち、撮影に際して、先羽根用電磁石に通電されたとき、断線や電圧不足などの理由により、電磁石による吸着保持力が充分に得られず、露光作動を開始する時機ではないのに、先羽根用駆動部材８が作動を開始してしまうことがあるが、それを検出し、何らかの警告を行わせるスイッチ機構とすることが可能である。更に、セット作動が終了しているにもかかわらずスイッチが閉じていることを検出し、セット不良であることを表示させるようにすることも可能である。
【００３０】
また、本実施例におけるスイッチ機構は、スイッチが閉じることによってフラッシュが発光するように構成されているが、逆に、スイッチが開くことによって発光するように構成しても構わない。このことは、上記の妄動やセット不良を検出するようにする場合も同じである。更に、本実施例においては、スイッチ機構の開閉を先羽根用駆動部材８によって行わせるようにしているが、スイッチ機構の位置を変更することによって、後羽根用駆動部材によって開閉作動を行わせるようにしても差し支えない。また、本実施例においては、接点部材６をプリント配線板５に取り付けているが、他の部材に取り付けても構わない。また、本発明は、本実施例のように、接点部材６の接点部６ｄを、プリント配線板５のパターン面に摺動させる場合に限定されず、パターン面に対して垂直に作動させるようにしても構わない。
【００３１】
［第２実施例］
次に、図６を用いて第２実施例を説明する。本実施例は、撮影画枠（露光開口）のサイズを切り換えることができるようにしたカメラにおいて、選択された画枠サイズに対応してフラッシュ撮影が支障なく行えるようにしたものである。また、本実施例の構成は、スイッチ機構の構成が第１実施例と異なっているだけである。そこで、図６は、図２と同様にして、露光作動の開始直前状態を示した平面図であるが、第１実施例で示したものと同じ部材，部位に対しては、同じ符号を付けている。また、スイッチ機構以外の構成については、上記の図１〜図４に示された構成が、本実施例に対しても適用される。従って、それらの共通の構成については、重複を避けるため、説明を省略する。
【００３２】
図６に示されているように、本実施例における接点部材６の形状と、それをプリント配線板５に取り付ける方法は、第１実施例の場合と全く同じである。他方、プリント配線板５には、固定接点部として、第１実施例の接点部５ｃと同じようにして加工された二つの接点部５ｃ，５ｅが設けられている。そして、撮影画枠が標準サイズの場合には接点部５ｃが採用され、パノラマサイズの場合には接点部５ｅが採用されるようになっている。また、接点部５ｃと接点部６ｄとは、第１実施例の場合と同様に、それらが接触したとき、先羽根用駆動部材８の位置検出を行うようになっているが、接点部５ｅと接点部６ｄとは、それらが離れたとき、先羽根用駆動部材８の位置検出を行うようになっている。
【００３３】
次に、本実施例の作動を説明するが、セット作動と、レリーズ時における露光作動開始位置までの作動は，第１実施例の場合と実質的に同じであるから、説明を省略する。また、露光作動開始位置からの作動も、第１実施例の場合と重複するところが多いため、異なる点を中心に簡単に説明する。
【００３４】
先ず、撮影画枠が標準サイズに設定された場合について説明する。その場合には、カメラ本体側において標準サイズを選択したとき、それに連動して自動的に、フラッシュ制御回路が、接点部５ｅと接点部６ｄとの接離信号を拾わないようにされている。従って、この場合のフラッシュ撮影は，第１実施例の場合と全く同じようにして行われる。
【００３５】
次に、撮影画枠がパノラマサイズに設定された場合について説明する。周知のように、パノラマサイズは、標準サイズに比較して、画枠の上下方向の寸法が小さくなっている。そのため、先羽根群が、その画枠を全開にすると同時にフラッシュが発光されるようにすると、標準サイズの場合よりも高速でフラッシュ撮影を行うことが可能となって有利である。そこで、本実施例においては、固定接点部として、第１実施例における接点部５ｃのほかに接点部５ｅを設けてある。
【００３６】
そこで、先ず、カメラ本体側においてパノラマサイズが選択されると、それに連動して、フラッシュ制御回路が、接点部５ｃと接点部６ｄとの接離信号を拾わないようにされる。次に、カメラのレリーズボタンが押されると、先羽根用電磁石と後羽根用電磁石に通電され、セット部材１９が図示していないカメラ本体側の部材に追従して回転することによって、先羽根用駆動部材８と図示していない後羽根用駆動部材が露光作動開始位置で、各電磁石によって吸着保持されることになる。図６は、そのときの状態を示している。
【００３７】
その後、先羽根用電磁石に対する通電が断たれると、先羽根用駆動部材８は、図示していない先羽根用駆動ばねの付勢力によって反時計方向へ回転され、駆動ピン８ｆが、図１において先羽根群の４枚の羽根１５，１６，１７，１８を重畳させながら上方へ作動させていく。その後、先羽根用駆動部材８は、押動部８ｅが折曲部６ｃを押して撓ませ、先ず、接点部６ｄを接点部５ｅから離す。このときが、パノラマサイズの画枠を全開にしたときであり、また、フラッシュ制御回路が、接点部６ｄと接点部５ｅとが離れた信号を拾うことによって、フラッシュを発光させたときである。
【００３８】
先羽根用駆動部材８は、なおも回転を続けることによって折曲部６ｃを撓ませて行き、次に、接点部６ｄを接点部５ｃに接触させる。そのときの状態は、図５（ａ）に示された状態に相当し、この状態は、標準サイズを選択した場合における全開状態であるが、本実施例においては、パノラマサイズを選択した場合には、上記したように、接点部６ｄと接点部５ｃとの接離信号を拾わないようにしているので、この状態では何事も生じない。その後、先羽根用駆動部材８は、図５（ｂ）に相当する状態まで回転し、露光作動を終了する。なお、後羽根用駆動部材の露光作動については、第１実施例の場合と同じであるため、説明を省略する。
【００３９】
尚、本実施例においては、固定接点部をプリント配線板５に二つ設けるようにしたが、制御回路の設定次第では、固定接点部を一つにして、露光作動開始前には、その固定接点部と接点部６ｄとを離しておき、パノラマサイズを選択した場合には、その固定接点部と接点部６ｄの接触したときの信号のみを拾うようにし、標準サイズを選択した場合には、その後に離れたときの信号のみを拾うようにしても差し支えない。また、本実施例においては、二つの画枠を選択できるカメラの場合について説明したが、固定接点部の数を二つ以上にし且つ接離信号の拾い方を適宜に設定することによって、三つの異なる画枠を選択できるようにしたカメラのシャッタにも適用することが可能である。更に、本実施例のスイッチ機構を、後羽根用駆動部材に関係させたり、各駆動部材の妄動やセット不良の検出を行うようにさせてもよいことは、第１実施例の場合と同じである。
【００４０】
【発明の効果】
以上のように、本発明によれば、スイッチ機構の一方の接点部は、従来と同様に可撓性を有する接点部材に設けられているが、もう一方の接点部はプリント配線板のパターン面に設けられているため、部品数を削減することが可能となり、しかも金メッキ等の表面処理を行う面積も小さくて済むようになる。また、組立に際しては、可撓性を有する一つの接点部材の取り付けにだけ気を配ればよいので、かしめ加工や半田付け作業が容易になる。従って、コスト的に非常に有利である。更に、チャタリングの点でも有利になる。
【図面の簡単な説明】
【図１】露光作動開始の直前状態における第１実施例のシャッタユニットを被写体側から視た平面図である。
【図２】図１の要部拡大平面図である。
【図３】被写体側を上側にして示した図２の右側面図である。
【図４】被写体側を上側にして示した図２の左側面図である。
【図５】第１実施例の作動説明を行うための要部平面図であって、図５（ａ）は先羽根用駆動部材によってスイッチが閉じた瞬間の状態を示し、図５（ｂ）は先羽根用駆動部材の作動終了状態を示している。
【図６】図２と同様にして示した露光作動開始の直前状態における第２実施例の平面図である。
【符号の説明】
１                      シャッタ地板
１ａ                    開口部
１ｂ，１ｃ，１ｄ        軸
１ｅ                    長孔
２，３                  ビス
４                      支持板
５                      プリント配線板
５ａ，５ｂ              孔
５ｃ，５ｅ，６ｄ        接点部
５ｄ                    突部
６                      接点部材
６ａ，６ｂ，６ｃ        折曲部
７                      ラチェット車
８                      先羽根用駆動部材
８ａ                    筒部
８ｂ                    被押動部
８ｃ                    ばね掛け
８ｄ                    取付部
８ｅ，１９ａ            押動部
８ｆ                    駆動ピン
９                      鉄片部材
９ａ                    鉄片部
１０                    緩衝部材
１１                    中間板
１２                    補助地板
１３，１４              アーム
１３ａ                  スリーブ
１５，１６，１７，１８  羽根
１９                    セット部材
１９ｂ                  被操作部
【図１】
0004293656.tif 000002
【図２】
0004293656.tif 000003
【図３】
0004293656.tif 000004
【図４】
0004293656.tif 000005
【図５】
0004293656.tif 000006
【図６】
0004293656.tif 000007